(57)【特許請求の範囲】
【請求項１】
転写膜と、
上記転写膜を所定の搬送方向に沿って搬送する搬送部と、
上記転写膜に対して当接するように設置され、電気泳動によって検体を分離し、分離した上記検体を上記転写膜に排出する分離部と、
上記分離部と上記転写膜との当接箇所から上記搬送方向において一定距離離れておりかつ上記転写膜の下部にある位置に配置される電極と、
上記電極の上部において、上記電極と当接するかまたは上記電極から離間して配置される絶縁性の電極カバーとを備えており、
上記電極カバーにおける一端部は、上記当接箇所における上記電極側の端部の下部にあり、
上記電極カバーは、上記搬送方向に対して傾斜しており、
上記電極カバーにおける上記一端部は、上記電極カバーにおける他端部よりも下方に位置していることを特徴とする生体分子分析装置。
【請求項２】
転写膜と、
上記転写膜を所定の搬送方向に沿って搬送する搬送部と、
上記転写膜に対して当接するように設置され、電気泳動によって検体を分離し、分離した上記検体を上記転写膜に排出する分離部と、
上記分離部と上記転写膜との当接箇所から上記搬送方向において一定距離離れておりかつ上記転写膜の下部にある位置に配置される電極と、
上記電極の上部において、上記電極と当接するかまたは上記電極から離間して配置される絶縁性の電極カバーとを備えており、
上記電極が配置されるバッファー槽をさらに備えており、
上記電極カバーは、上記電極カバーにおける一端部が上記電極の下部に位置するように、上記当接箇所における上記電極側の端部の下部において上記電極側に湾曲されており、
上記電極カバーにおける上記一端部と、上記バッファー槽の底面との間にスリットが形成されており、
上記電極カバーは、上記搬送方向に対して傾斜しており、
上記電極カバーにおける上記一端部は、上記電極カバーにおける他端部よりも下方に位置していることを特徴とする生体分子分析装置。
【請求項３】
転写膜と、
上記転写膜を所定の搬送方向に沿って搬送する搬送部と、
上記転写膜に対して当接するように設置され、電気泳動によって検体を分離し、分離した上記検体を上記転写膜に排出する分離部と、
上記分離部と上記転写膜との当接箇所から上記搬送方向において一定距離離れておりかつ上記転写膜の下部にある位置に配置される電極と、
上記電極の上部において、上記電極と当接するかまたは上記電極から離間して配置される絶縁性の電極カバーとを備えており、
上記当接箇所における上記電極側の端部の下部に配置される第１の絶縁性の部材をさらに備えており、
上記電極カバーにおける一端部は、上記第１の絶縁性の部材の上部まで延伸されており、
上記電極カバーと上記第１の絶縁性の部材との間にスリットが形成されており、
上記電極カバーは、上記搬送方向に対して傾斜しており、
上記電極カバーにおける上記一端部は、上記電極カバーにおける他端部よりも下方に位置していることを特徴とする生体分子分析装置。
【請求項４】
上記電極が配置されるバッファー槽をさらに備えており、
上記電極カバーにおける上記一端部と、上記バッファー槽の底面との間にスリットが形成されていることを特徴とする請求項１に記載の生体分子分析装置。
【請求項５】
上記当接箇所における上記電極側と反対側の端部の下部に配置される第２の絶縁性の部材をさらに備えていることを特徴とする請求項１〜４のいずれか１項に記載の生体分子分析装置。
【請求項６】
上記電極カバーの表面における対水接触角は９０°以下であることを特徴とする請求項１〜５のいずれか１項に記載の生体分子分析装置。
【発明の詳細な説明】
【技術分野】
【０００１】
本発明は、タンパク質などの生体分子を分析するための生体分子分析装置に関する。
【背景技術】
【０００２】
ポストゲノム研究の中心的位置を担っているプロテオーム解析において、二次元電気泳動法（２ＤＥ）およびウエスタンブロッティング法の組み合わせは、優れた分離分析手法として知られている。２ＤＥは、タンパク質に固有の独立した２つの物理的性質（電荷および分子量）に基づいて、種々の分離媒体を用いて、プロテオームを複数の成分（タンパク質）に高分解能に分離することができる。２ＤＥによる分離結果を利用してタンパク質をさらに分析する場合、分離媒体に含まれる複数のタンパク質を、ウエスタンブロッティング法によって転写膜に固定化することが好ましい。これは、転写膜に固定化されたタンパク質が、長期間にわたって安定して保存され得る上に、分析が容易だからである。特に、タンパク質の発現量の増減、および翻訳後修飾の有無といったタンパク質の複数の生物学的特徴を、２ＤＥによる分離結果を利用して網羅的に比較検討する場合、ウエスタンブロッティング法は必須の工程といえる。
【０００３】
従来のウエスタンブロッティング法には、転写膜と分離媒体との接触箇所に、陽極から発生した気泡が付着することによって、転写膜に固定化されるタンパク質のパターンがぼやけたり歪んだりする問題がある。この問題に関し、特許文献１には、円柱状の多孔質材料で覆われた陽極を用いる工夫が開示されている。この工夫の利点について、特許文献１には次のように開示されている。陽極から発生した気泡が多孔質材料を通過する際にそのサイズが大きくなるため、気泡が水面まで上昇しやすくなる。これにより、バッファー中への微小な気泡の混入を防ぐことができるので、接触箇所への気泡の悪影響をなくすことができる。
【先行技術文献】
【特許文献】
【０００４】
【特許文献１】米国特許第５，９１６，４２９号（１９９９年６月２９日発行）
【特許文献２】米国特許第５，２３４，５５９号（１９９３年８月１０日発行）
【特許文献３】特表平９−５０１７７４号（１９９７年２月１８日公表）
【発明の概要】
【発明が解決しようとする課題】
【０００５】
特許文献１の技術では、発生した気泡をバッファー槽の上部からまとめて排出するため、分離媒体を水平に設置する場合は有効である。しかし、分離媒体を鉛直に設置する場合、陽極がバッファー槽の底部に配置されるので、陽極から発生した気泡が水面に到達する前に転写膜と分離媒体との接触箇所に向かい、その結果、気泡が接触箇所に悪影響を及ぼす問題が依然として生じる。
【０００６】
本発明の上記の課題を解決するためになされたものである。そしてその目的は、分離部が鉛直に配置される構成であり、かつ、電極から発生した気泡が転写膜と分離部との当接箇所に悪影響を及ぼさない生体分子分析装置を提供することにある。
【課題を解決するための手段】
【０００７】
本発明の一態様に係る生体分子分析装置は、上記課題を解決するために、
転写膜と、
上記転写膜を所定の搬送方向に沿って搬送する搬送部と、
上記転写膜に対して垂直に当接しかつ鉛直に設置され、電気泳動によって検体を分離し、分離した上記検体を上記転写膜に排出する分離部と、
上記分離部と上記転写膜との当接箇所から上記搬送方向において一定距離離れた位置に配置される電極と、
上記電極の上部において、上記電極と当接するかまたは上記電極から離間して配置される絶縁性の電極カバーを備えていることを特徴としている。
【発明の効果】
【０００８】
本発明の一態様によれば、分離部が鉛直に配置される構成であり、かつ、電極から発生した気泡が転写膜と分離部との当接箇所に悪影響を及ぼさない生体分子分析装置を提供できるという効果を奏する。
【図面の簡単な説明】
【０００９】
【図１】本発明の実施形態１に係る生体分子分析装置における陽極カバーの配置を示す図である。
【図２】本発明の実施形態１に係るフレーム付き転写膜の概略を説明する図である。
【図３】本発明の一実施形態に係る生体分子分析装置の概略を説明する図である。
【図４】本発明の実施形態１における陽極カバーがない場合に生ずる電気力線の広がりを示す図である。
【図５】本発明の実施形態２における絞込部材の配置、および、排出部から生ずる電気力線を示す図である。
【図６】本発明の実施形態３における電極カバーの構成を示す図である。
【図７】本発明の実施形態４における陽極カバーの配置を示す図である。
【発明を実施するための形態】
【００１０】
〔実施形態１〕
本発明に係る第１実施形態を図１〜図４に基づき以下に説明する。
【００１１】
（フレーム付き転写膜１０）
まず、本実施形態に係る生体分子分析装置に用いられるフレーム付き転写膜について、図２を参照して以下に説明する。図２の（ａ）は、フレーム付き転写膜１０の概略を説明する図である。図２の（ｂ）は、図２の（ａ）における線Ａおよび線Ｂにおける断面図である。
【００１２】
図２の（ａ）に示すように、フレーム付き転写膜１０は、転写膜１の一辺（第一辺）とその一辺に対向する一辺（第二辺）とを、一対のフレーム（フレーム部材）２によって個別に支持されている。
【００１３】
図２の（ｂ）の線Ａおよび線Ｂにおける断面図に示すように、フレーム付き転写膜１０は、一対のフレーム２における嵌合部３として、フレーム２を貫通する開口状の嵌合部（貫通孔）が設けられていることがより好ましい。嵌合部３は、それぞれ、対応する凸型の形状の嵌合部に嵌合することができる。これによって、嵌合部３によってフレーム付き転写膜１０と生体分子分析装置とを固定することができる。
【００１４】
フレーム付き転写膜１０は、一対のフレーム２を平行に固定し、互いを離間することにより、転写膜１を緩みなく張ることができる。また、予め所定の形状に切断された転写膜１をフレーム２によって固定することができるため、簡単かつ適切な張力を転写膜１に付与しつつ、フレーム付き転写膜１０を生体分子分析装置に取り付けることができる。このため、生体分子分析装置に固定し、排出転写によって検体を転写するときにブロットの歪みを防止することができる。
【００１５】
また、フレーム付き転写膜１０では、転写膜１の錘としてフレーム２を使用することができる。このため、シェイカー等の試薬槽中に試薬中において転写膜１が動き、抗体反応にムラが生じることを防止できる。さらに、フレーム付き転写膜１０は、転写膜１と一対のフレーム２とからなる簡単な構成であるため、例えば、外周全てをフレームによって固定することで転写膜を平坦に広げて固定しているものや、湾曲したフレームによって転写膜を広げて固定しているものと比較して、嵩高くなく、例えば、ウエスタンブロッティング法を行なうときに用いる抗体の量を少なくすることができる。
【００１６】
（転写膜１）
転写膜１は、生体分子分析装置の分離部によって分離された生体分子サンプル（検体）を吸着し、保持するための膜である。ここで、転写膜１は、分離部によって分離された生体分子サンプル（検体）を長期間にわたって安定に保存可能にし、さらに、その後の分析を容易にする生体分子サンプルの吸着・保持体であることが好ましい。転写膜１の材質としては、高い強度を有し、且つサンプル結合能（単位面積当たりに吸着可能な重量）が高いものが好ましい。転写膜１としては、サンプルがタンパク質である場合にはポリフッ化ビニリデン（ＰＶＤＦ）膜などが適している。なお、ＰＶＤＦ膜は予めメタノールなどを用いて親水化処理を行っておくことが好ましい。これ以外には、ニトロセルロース膜またはナイロン膜など、従来からタンパク質、ＤＮＡおよび核酸の吸着に利用されている膜も使用可能である。
【００１７】
生体分子分析装置において分離および吸着され得る生体分子サンプルとしては、タンパク質、ＤＮＡおよびＲＮＡを挙げることができるが、これらに限定されない。例えば、生物材料（例えば、生物個体、体液、細胞株、組織培養物、もしくは組織断片）からの調製物、または、市販の試薬なども、サンプルの例に含まれる。さらには、ポリペプチドまたはポリヌクレオチドもサンプルの一種である。
【００１８】
（フレーム２）
一対のフレーム２のそれぞれは、フレーム２の長さが固定される転写膜１の一辺の長さより長いものであるとよい。また、フレーム２は、絶縁性の材料からなることが好ましい。絶縁性材料としては、ポリメタクリル酸メチル（アクリル）、ポリスチレン、ポリエチレン、ポリプロピレン、ポリエチレンテレフタレート（ＰＥＴ）、ポリアセタール（ＰＯＭ）、ポリエーテルエーテルケトン（ＰＥＥＫ）等の樹脂、またはガラスを用いることができる。
【００１９】
また、フレーム２は、表面に親水性処理が施されていることがより好ましい。例えば、上記材質からなるフレーム２の表面に、コーティング層を設けるとよい。これによって、フレーム２の表面に分離部の排出部から排出されたタンパク質等の検体が付着することを防止することができ、フレーム２が汚染されることを防止することができる。
【００２０】
なお、フレーム２の表面における対水接触角は、９０°以下であることが好ましく、６０°以下であることがより好ましい。フレーム２の表面における対水接触角を９０°以下にすることによって、フレーム２が検体によって汚染されることを好適に防止することができる。
【００２１】
（生体分子分析装置１００）
次に、本発明の一実施形態に係る生体分子分析装置１００について、図３を参照して詳細に説明する。図３は、本発明の一実施形態に係る生体分子分析装置１００の概略を説明する図である。この図に示すように、生体分子分析装置１００は、クランプ２０、陽極バッファー槽３０（バッファー槽）、陽極ステージ３１、陰極バッファー槽４０、電気泳動ゲルチップ５０（分離部）、および搬送部を備えている。
【００２２】
生体分子分析装置１００において、陽極バッファー槽３０は、陽極ステージ３１に着脱可能な状態で固定されている。陽極バッファー槽３０内にクランプ２０が配置されており、フレーム付き転写膜１０は陽極バッファー槽３０内においてクランプ２０に固定されている。陰極バッファー槽４０は、陽極バッファー槽３０に着脱可能な状態で固定されている。電気泳動ゲルチップ５０は、互いに対向する両端部のうち一端部が陽極バッファー槽３０内に位置し、他端部が陰極バッファー槽４０内に位置するように、生体分子分析装置１００に配置されている。
【００２３】
生体分子分析装置１００の概要は次の通りである。電気泳動ゲルチップ５０は、分離ゲル５２に導入された検体を電気泳動によって分離し、分離した検体を転写膜１に対して、電気泳動ゲルチップ５０の一端にある排出部５０ａを通じて排出する。搬送部は、転写膜１を搬送方向Ｘ（フレーム付き転写膜１０におけるフレーム２が設けられた一辺（第一辺）から、フレーム２が設けられた他の辺（第二辺）へ向かう方向）に搬送する。これにより、排出された検体が、転写膜１における排出されるタイミングに従った位置（排出されたタイミングにおいて電気泳動ゲルチップ５０に対向していた位置）に吸着される。これにより、分離された検体が転写膜１に転写される。
【００２４】
（クランプ２０）
図３に示すように、クランプ２０は、前部クランプ２０ａおよび２０ｂと、後部クランプ２１ａおよび２１ｂと、クランプフレーム２２とを備えている。前部クランプ２０ａおよび２０ｂは、転写膜１が搬送される際の搬送終了地点側に配置されており、一方、後部クランプ２１ａおよび２１ｂは搬送開始地点側に配置されている。
【００２５】
クランプ２０において、前部クランプ２０ａと前部クランプ２０ｂとは、冶具によって解放できるように固定されている。前部クランプ２０ａにおける２箇所には図示しない嵌合部が設けられており、これらの嵌合部に対して、図２の（ａ）に示す一方のフレーム２の２箇所に設けられた嵌合部３をそれぞれ嵌合させる。その後、前部クランプ２０ａと前部クランプ２０ｂとによって、一方のフレーム２を挟み込み固定する。
【００２６】
同様に、クランプ２０において、後部クランプ２１ａと後部クランプ２１ｂとは、冶具によって解放できるように固定されている。後部クランプ２１ａにおける２箇所には図示しない嵌合部が設けられており、これらの嵌合部に対して、図２の（ａ）に示す他方のフレーム２の２箇所に設けられた嵌合部３をそれぞれ嵌合させる。その後、後部クランプ２１ａと後部クランプ２１ｂとによって、他方のフレーム２を挟み込み固定する。
【００２７】
クランプフレーム２２は、前部クランプ２０ａと後部クランプ２１ａとを、一定の距離で離間した状態で固定している。このため、クランプ２０によってフレーム付き転写膜１０を固定したときに、転写膜１は緩みなく張った状態で固定される。さらに、クランプフレーム２２は、転写膜１の搬送方向側方（フレーム２によって支持されていない２辺の外側）から、前部クランプ２０ａと後部クランプ２１ａとを固定する。これによって、生体分子分析装置１００にクランプ２０を介してフレーム付き転写膜１０を固定したときに、転写膜１の搬送経路においてクランプフレーム２２が電気泳動ゲルチップ５０ならびにガイド３３および３４に接触しないように、フレーム付き転写膜１０を配置することができる。
【００２８】
キャリア２３は、前部クランプに２０ｂに設けられている。クランプ２０を陽極バッファー槽３０の内側に取り付けるとき、クランプ２０を、陽極バッファー槽３０の外部に配置されているガイドポール６６にキャリア２３を通じて着脱可能な状態で固定できる。
【００２９】
（陽極バッファー槽３０）
図３において、陽極バッファー槽３０を点線にて示す。図３に示すように、陽極バッファー槽３０は、陽極（電極）３２、ガイド（支持部材）３３および３４、ならびに陽極カバー３５（電極カバー）を備えている。
【００３０】
陽極バッファー槽３０には、陽極バッファーが満たされている。陽極バッファーとしては、例えば、Ｔｒｉｓ／グリシン系緩衝液、酢酸緩衝溶液、炭酸ナトリウム系緩衝液、ＣＡＰＳ緩衝液、Ｔｒｉｓ／ホウ酸／ＥＤＴＡ緩衝液、Ｔｒｉｓ／酢酸／ＥＤＴＡ緩衝液、ＭＯＰＳ、リン酸緩衝液、Ｔｒｉｓ／トリシン系緩衝液等の緩衝液を用いることができる。クランプ２０に固定されたフレーム付き転写膜１０は、陽極バッファー槽３０内に満たされた陽極バッファー中に設置されている。
【００３１】
陽極３２は、白金線等によって構成される、細長い棒状の電極である。陽極３２は、その長さ方向がフレーム付き転写膜１０の搬送方向Ｘと垂直になるように、陽極バッファー槽３０の底部に設けられている。陽極３２は、電気泳動ゲルチップ５０における排出部５０ａの真下ではなく、搬送方向Ｘおいて排出部５０ａから一定距離離れた位置に配置されている。この位置は、フレーム付き転写膜１０が設置されたときに、転写膜１の電気泳動ゲルチップ５０に対向する側の裏面から、陽極３２と陰極４１との間に電圧を印加できる位置である。
【００３２】
ガイド３３および３４は、転写膜１において電気泳動ゲルチップ５０が当接（接触）する位置を、搬送方向の前後から挟む一対の位置を、転写膜１の電気泳動ゲルチップ５０とは反対側から夫々支持する支持部材である。ガイド３３および３４は、陽極バッファー槽３０の底部において、フレーム付き転写膜１０が搬送される搬送経路上に設けられている。ガイド３３および３４は、それぞれの高さ方向が、電気泳動ゲルチップ５０の面内方向に平行であり、かつ、フレーム付き転写膜１０が搬送される搬送方向Ｘに垂直に交わるように、配置されている。これによって、ガイド３３および３４は、転写膜１の電気泳動ゲルチップ５０に対向する側の裏面から転写膜１を、電気泳動ゲルチップ５０における排出部５０ａ側の端部の長さ方向に対して平行に支持する。
【００３３】
（陽極カバー３５）
陽極カバー３５は、陽極３２の上部において、陽極３２と当接するかまたは陽極３２から離間して設けられている。詳しくは後述するが、生体分子分析装置１００は、陽極カバー３５を備えていることによって、陽極３２から電極から発生した気泡を陽極バッファー槽３０の上部に逃がすことができるため、転写膜１と電気泳動ゲルチップ５０との当接箇所に気泡が悪影響を及ぼすことを防止できる。
【００３４】
陽極カバー３５は、絶縁性の材料によって構成されている。絶縁性材料としては、ポリメタクリル酸メチル（アクリル）、ポリスチレン、ポリエチレン、ポリプロピレン、ポリエチレンテレフタレート（ＰＥＴ）、ポリアセタール（ＰＯＭ）、ポリエーテルエーテルケトン（ＰＥＥＫ）等の樹脂、またはガラスを用いることができる。
【００３５】
また、陽極カバー３５は、表面に親水性処理が施されていることがより好ましい。例えば、上記材質からなるフレーム２の表面に、例えば、コーティング層を設けるとよい。これによって、陽極３２から発生した気泡を、陽極カバー３５の表面に沿って陽極バッファー槽３０の上部により逃がしやすくすることができる。
【００３６】
なお、陽極カバー３５の表面における対水接触角は、９０°以下であることが好ましく、６０°以下であることがより好ましい。陽極カバー３５の表面における対水接触角を９０°以下にすることによって、気泡を陽極カバー３５の表面に沿ってより逃がしやすくことができる。
【００３７】
（陰極バッファー槽４０）
図３に示すように、陰極バッファー槽４０は、陰極４１およびロック４２を備えている。陰極４１は、白金線等によって構成される、細長い棒状の電極である。陰極４１は、その長さ方向が転写膜１の搬送方向と直交するように、陰極バッファー槽４０の内側における上部（分離ゲル５２の真上）に配置されている。すなわち陰極４１の長さ方向は陽極３２の長さ方向と平行になっている。
【００３８】
陰極バッファー槽４０には、陰極バッファーが満たされている。陰極バッファーには、陽極バッファーと同様の緩衝液を用いることができる。
【００３９】
陰極バッファー槽４０内において、電気泳動ゲルチップ５０がロック４２によって固定されている。このとき、電気泳動ゲルチップ５０における、排出部５０ａとは反対側の端部が、陰極バッファー槽４０に満たされた陰極バッファーに浸漬されている。一方、電気泳動ゲルチップ５０における、排出部５０ａ側の端部が、陽極バッファー槽３０に満たされた陽極バッファーに浸漬されている。
【００４０】
図３に示すように、分離ゲル５２における排出部５０ａ側と反対側の端部は、陰極４１に対向している。一方、分離ゲル５２における排出部５０ａ側の端部は、陽極３２に対向していない。このように、分離ゲル５２における排出部５０ａ側の端部は、転写膜１の搬送方向において陽極３２から一定距離離れている。
【００４１】
（電気泳動ゲルチップ５０）
図３に示すように、電気泳動ゲルチップ５０は、絶縁板５１、分離ゲル５２、および絶縁板５３を備えている。絶縁板５１および絶縁板５３は、例えば、ガラスおよびアクリルなどの絶縁体にからなる板によって形成されている。絶縁板５１と絶縁板５３との間に、分離ゲル５２が形成されている。
【００４２】
分離ゲル５２は、導入された生体分子サンプル（検体）を分子量にしたがって分離するためのゲルである。分離ゲル５２の例としては、ポリアクリルアミドゲルおよびアガロースゲルなどが挙げられ、上述した好適な組成に緩衝液に合せたゲルを用いることが好ましい。分離ゲル５２は、電気泳動ゲルチップ５０を陰極バッファー槽４０に対して取り付ける前に電気泳動ゲルチップ５０内に充填させて形成することができる。
【００４３】
電気泳動ゲルチップ５０は、転写膜１に対して垂直に当接するように、生体分子分析装置１００に配置されている。さらに、電気泳動ゲルチップ５０は鉛直に配置されている。転写膜１の表面には、電気泳動ゲルチップ５０の排出部５０ａが接触している。電気泳動ゲルチップ５０において、排出部５０ａに対向しかつ陰極バッファー槽４０中に配置される端部を通じて、分離ゲル５２に対して生体分子サンプルが供給される。生体分子サンプルが供給された後、陽極３２と陰極４１との間に電圧を印加することによって、電気泳動が行われる。その結果、検体が排出部５０ａを通じて転写膜１に転写される。
【００４４】
（搬送部）
図３に示すように、搬送部は、モータ６２、ボールネジ６３、ガイドシャフト６４、シャフトホルダ６５、ガイドポール６６を備えている。
【００４５】
搬送部では、モータ６２によってボールネジ６３を回転させることにより、ガイドシャフト６４に沿って、シャフトホルダ６５を転写方向Ｘに移動することができる。シャフトホルダ６５にはガイドポール６６が固定されており、ガイドポール６６が陽極バッファー槽３０の外部からクランプ２０に設けられたキャリア２３を支持している。
【００４６】
搬送部は、上記構成によって、モータ６２を回転させることにより、陽極バッファー槽３０の外部に配置されているガイドポール６６を介して、陽極バッファー槽３０の内部に配置されているフレーム付き転写膜１０を転写方向Ｘに移動させる。
【００４７】
（生体分子分析装置１００の動作）
生体分子分析装置１００の動作について、以下に説明する。まず、フレーム付き転写膜１０をクランプ２０によって固定し、陽極バッファーを満たした陽極バッファー槽３０の内側に配置する。フレーム付き転写膜１０の転写膜１は、ガイド３３およびガイド３４によって下側から支持された状態で固定される。
【００４８】
その後、ロック４２によって電気泳動ゲルチップ５０が固定された陰極バッファー槽４０を、陽極バッファー槽３０の上部に固定する。このとき陰極バッファー槽４０は、電気泳動ゲルチップ５０を転写膜１の上側に押し当れるような状態で設置される。これにより転写膜１は、ガイド３３、ガイド３４および電気泳動ゲルチップ５０に接することによって電気泳動ゲルチップ５０とは反対側に凸になるように（谷折り状に）折れ曲げられた状態で固定される。
【００４９】
次に、陽極３２と陰極４１との間において電圧を印加することによって、陽極バッファー中において、フレーム付き転写膜１０の転写膜１は、電気泳動ゲルチップ５０によって排出された検体を転写されつつ、電気泳動ゲルチップ５０の排出部を押し当てられたままの状態で、図３に示す転写方向Ｘに搬送される。このため、転写膜１が搬送されるときに生じる張力は、電気泳動ゲルチップ５０の端部に設けられた排出部に集中する。つまり、転写膜１は、一定の力によって電気泳動ゲルチップ５０の排出部に押し当てられながら、転写方向Ｘに搬送される。
【００５０】
このため、フレーム付き転写膜１０では、転写膜１を搬送するときに、転写膜１と電気泳動ゲルチップ５０の検体の排出部との間において隙間が生じることを防止することができる。したがって、電気泳動ゲルチップ５０の排出部から排出される検体が、転写膜１に転写される前に陽極バッファー中に拡散することを抑制することができる。これによって、転写膜１に転写された検体のバンドの揺らぎを低減することができ、生体分子分析装置の感度を向上することができる。
【００５１】
（陽極カバー３５の配置）
図１は、本実施形態に係る生体分子分析装置１００における陽極カバー３５の配置を示す図である。この図では、生体分子分析装置１００に備えられる一部の部材のみを図示している。図１の例では、陽極カバー３５は、平らな板形状を有している。
【００５２】
陽極カバー３５は、互いに対向する端部３５ａおよび端部３５ｂを有する。搬送方向Ｘにおいて、端部３５ａの方が端部３５ｂよりも、転写膜１と電気泳動ゲルチップ５０との当接箇所（排出部５０ａに一致）に近い。言い換えると、搬送方向Ｘにおいて、端部３５ｂの方が端部３５ａよりも排出部５０ａから遠い。
【００５３】
陽極カバー３５は、転写膜１の搬送方向Ｘに対して一定の角度で傾斜している。ここでいう一定の角度とは、転写膜１の面内方向に直交する方向において、端部３５ａの方が端部３５ｂよりも陽極３２（陽極バッファー槽３０の底部）に近い角度である。言い換えると、転写膜１の面内方向に直交する方向において、端部３５ｂの方が端部３５ａよりも陽極バッファーの水面に近くなる角度である。
【００５４】
陽極カバー３５が図１に示すように傾斜しているので、陽極３２において発生した気泡を、陽極カバー３５の表面に沿って、転写膜１の巻き上げ方向Ｙに逃がすことができる。すなわち、気泡は排出部５０ａから遠ざかる方向に逃げ、端部３５ａ側（排出部５０ａ側）に移動しない。この結果、気泡が、転写膜１と電気泳動ゲルチップ５０との当接箇所に悪影響を及ぼすことがない。
【００５５】
（電気力線の絞り込み）
上述したように、陽極３２は、排出部５０ａの真下ではなく、搬送方向Ｘにおいて排出部５０ａから一定距離離れた位置に配置されている。そのため、陽極カバー３５がないと、電気泳動時に排出部５０ａから生ずる電気力線３７が、図４に示すように大きく広がってしまう。図４は、陽極カバー３５がない場合に生ずる電気力線３７の広がりを示す図である。この図のように、大きく広がった電気力線３７が生ずると、排出部５０ａから排出された検体が大きく拡散する結果、検体の分離能を大きく低下させる可能性がある。
【００５６】
一方、本実施形態では、図１に示すように、陽極カバー３５の端部３５ａは、電気泳動ゲルチップ５０と転写膜１との当接箇所における、陽極３２側の端部の下部に位置している。陽極カバー３５は絶縁性の材料で構成されているため、排出部５０ａから生じた電気力線３６は、排出部５０ａの直近に存在する陽極カバー３５によって阻害され、陽極３２に向かって広がることがない。この結果、図１に示すように、排出部５０ａから、絞り込まれた電気力線３６を生じさせることができる。これにより、検体の分離能を大きく向上させることができる。
【００５７】
また、陽極カバー３５は、生体分子分析装置１００から容易に取り外すことができる。そのため、陽極カバー３５を定期的に容易に清掃または洗浄することができる。さらには、経年劣化した陽極カバー３５を新品に交換することもできる。
【００５８】
〔実施形態２〕
本発明に係る第２実施形態を図５に基づき以下に説明する。
【００５９】
図５は、絞込部材３８の配置、および、排出部５０ａから生ずる電気力線３９を示す図である。この図に示すように、本実施形態に係る生体分子分析装置１００は、第１実施形態に係る生体分子分析装置１００が備える各部材に加えて、さらに絞込部材３８（第２の絶縁性の部材）を備えている。
【００６０】
絞込部材３８は、絶縁性の材料によって構成されている。本実施形態では、絞込部材３８の材料は陽極カバー３５の材料と同一であるが、必ずしもこれに限られない。
【００６１】
絞込部材３８は、排出部５０ａにおける陽極３２側と反対側の端部の下部に、転写膜１に対して垂直に配置されている。絞込部材３８が絶縁性であるため、排出部５０ａから生じた電気力線３９は、絞込部材３８によって阻害されて、陽極３２側と反対側に広がることができない。この結果、電気力線３９を、絞込部材３８がない場合に生ずる図１に示す電気力線３６よりも、さらに絞り込むことができる。これにより、検体の分離能をより一層大きく向上させることができる。
【００６２】
〔実施形態３〕
本発明に係る第３実施形態を図６に基づき以下に説明する。
【００６３】
図６は、本実施形態に係る生体分子分析装置１００における陽極カバー３５の構成を示す図である。
【００６４】
図６の（ａ）または（ｂ）に示す生体分子分析装置１００が備える各部材は、第１実施形態に係る生体分子分析装置１００と同一である。しかし、陽極カバー３５と陽極バッファー槽３０の底面との間にスリット７０（隙間）が設けられている点において、第１実施形態とは異なる。
【００６５】
図６の（ａ）では、陽極カバー３５の端部３５ａと、陽極バッファー槽３０の底面との間に、スリット７０が設けられている。このスリット７０は、搬送方向Ｘに対して垂直方向に配置されているか、または、陽極３２よりも下に配置されている。さらに、スリット７０は、排出部５０ａの真下に配置されている。
【００６６】
図６の（ａ）に示すように、陽極カバー３５における端部３５ｂ側は、陽極３２よりも上方に配置されている。これにより、陽極カバー３５における端部３５４ｂ側には、広い開口部７１が形成されている。電気泳動時に陽極３２において熱および気泡が発生する。この熱によって、陽極３２の周囲に陽極バッファーの対流が生じる。開口部７１はスリット７０よりも広いので、熱による対流によって、気泡を含む陽極バッファーはスリット７０よりも開口部７１に移動し易くなる。この結果、陽極３２から発生した気泡が排出部５０ａに向かうことをより一層防止することができる。
【００６７】
図６の（ｂ）では、陽極カバー３５は排出部５０ａの下部において湾曲しており、端部３５ａが陽極３２の下部に配置されている。したがって、端部３５ａと陽極バッファー槽３０の底面との間に設けられるスリット７０は、陽極３２よりも下に配置されている。この構成により、排出部５０ａから生じた電気力線７２は、陽極カバー３５によって阻害され、陽極３２に向かって広がることはない。すなわち電気力線７２は、陽極３２の下方にあるスリット７０に向かって、陽極カバー３５に沿って絞り込まれる。これにより、検体の分離能を大きく向上させることができる。
【００６８】
ここで、図６の（ｂ）に示す構成においても、陽極カバー３５における端部３５ｂ側には、広い開口部７１が形成されている。したがって、図６の（ａ）に示す構成と同様に、陽極３２から発生した気泡が排出部５０ａに向かうことをより一層防止することができる。
【００６９】
図６の（ｃ）に示す生体分子分析装置１００は、第１実施形態に係る生体分子分析装置１００が備える各部材に加えて、陽極バッファー槽３０の底面に設けられる縦に細長い絶縁性の直立部材７３（第１の絶縁性の部材）をさらに備えている。直立部材７３は、排出部５０ａにおける陽極３２側の端部の下部に、転写膜１に対して垂直に配置されている。陽極カバー３５は直立部材７３の上部まで延伸されている。
【００７０】
図６の（ｃ）に示す構成では、陽極カバー３５の端部３５ａと、陽極バッファー槽３０の底面との間には、スリット７０が形成されていない。その代わりに、陽極カバー３５における端部３５ａよりも少し端部３５ｂ側の箇所と、直立部材７３との間に、スリット７４が設けられている。すなわちスリット７４は、陽極バッファー槽３０の底面から一定距離（直立部材７３の高さに等しい）離れた場所に設けられている。
【００７１】
ここで、図６の（ｃ）に示す構成においても、陽極カバー３５における端部３５ｂ側には、広い開口部７１が形成されている。したがって、図６の（ａ）に示す構成と同様に、この結果、陽極３２から発生した気泡が排出部５０ａに向かうことをより一層防止することができる。
【００７２】
〔実施形態４〕
本発明に係る第４実施形態を図７に基づき以下に説明する。
【００７３】
本実施形態に係る生体分子分析装置１００が備える各部材は、第１実施形態に係る生体分子分析装置１００と同一である。しかし、陽極カバー３５の傾斜方向が、第１実施形態とは異なる。
【００７４】
図７の（ａ）は、生体分子分析装置１００を搬送方向Ｘの左側から見た場合の陽極カバー３５の配置を示す図である。この図に示すように、陽極カバー３５は、搬送方向Ｘに対して傾斜していない。
【００７５】
図７の（ｂ）は、生体分子分析装置１００を搬送方向Ｘの終点側から見た場合の陽極カバー３５の配置を示す図である。この図に示すように、陽極カバー３５は、搬送方向Ｘと直交しかつ転写膜１の面内方向に平行な方向に対して一定の角度で傾斜している。具体的には、転写膜１の面内方向に直交する方向において陽極カバー３５が有する一対の端部３５ｃおよび３５ｄのうち、搬送方向Ｘの左側に位置する端部３５ｃが、搬送方向Ｘの右側に位置する端部３５ｄよりも陽極３２に近い。言い換えると、転写膜１の面内方向に直交する方向において、端部３５ｄの方が端部３５ｃよりも陽極バッファーの水面に近い。
【００７６】
陽極カバー３５が図７の（ｂ）に示すように傾斜しているので、陽極３２において発生した気泡を、陽極カバー３５の端部３５ｄ側、すなわち、転写膜１の巻き上げ方向Ｙと垂直な方向に逃がすことができる。この結果、気泡が排出部５０ａ側に移動しないので、気泡が、転写膜１と電気泳動ゲルチップ５０との当接箇所に悪影響を及ぼすことがない。
【００７７】
なお、陽極カバー３５の傾斜は、図７の（ｂ）に示すものに限られない。陽極カバー３５は、端部３５ｃの方が端部３５ｄよりも陽極バッファーの水面に近い角度で傾斜していてもよい。この場合、陽極３２において発生した気泡を、端部３５ｃ側に逃がすことができる。
【００７８】
〔付記事項〕
本発明の態様１に係る生体分子分析装置は、
転写膜と、
上記転写膜を所定の搬送方向に沿って搬送する搬送部と、
上記転写膜に対して垂直に当接しかつ鉛直に設置され、電気泳動によって検体を分離し、分離した上記検体を上記転写膜に排出する分離部と、
上記分離部と上記転写膜との当接箇所から上記搬送方向において一定距離離れた位置に配置される電極と、
上記電極の上部において、上記電極と当接するかまたは上記電極から離間して配置される絶縁性の電極カバーを備えていることを特徴としている。
【００７９】
上記の構成によれば、電気泳動時に電極から発生する気泡が、分離部と転写膜との当接箇所に向けて移動することが、電極カバーによって防止される。これにより、電極から発生した気泡が転写膜と分離部との当接箇所に悪影響を及ぼさずに済む。
【００８０】
本発明の態様２に係る生体分子分析装置では、上記態様１において、
上記電極カバーにおける一端部は、上記当接箇所における上記電極側の端部の下部にあることを特徴としている。
【００８１】
上記の構成によれば、電気泳動時に分離部における当接箇所から生ずる電気力線が、電極側に広がることが防止される。その結果、検体の分離能を高めることができる。
【００８２】
本発明の態様３に係る生体分子分析装置では、上記態様２において、
上記電極が配置されるバッファー槽をさらに備えており、
上記電極カバーにおける上記一端部と、上記バッファー槽の底面との間にスリットが形成されていることを特徴としている。
【００８３】
上記の構成によれば、電気泳動時に電極から発生する気泡がスリット側（すなわち分離部と転写膜との当接箇所側）に向かって移動することをより一層防止することができる。
【００８４】
本発明の態様４に係る生体分子分析装置では、上記態様１において、
上記電極が配置されるバッファー槽をさらに備えており、
上記電極カバーは、上記電極カバーにおける一端部が上記電極の下部に位置するように、上記当接箇所における上記電極側の端部の下部において上記電極側に湾曲されており、
上記電極カバーにおける上記一端部と、上記バッファー槽の底面との間にスリットが形成されていることを特徴としている。
【００８５】
上記の構成によれば、検体の分離能を大きく向上させると共に、電気泳動時に電極から発生する気泡がスリット側（すなわち分離部と転写膜との当接箇所側）に向かって移動することをより一層防止することができる。
【００８６】
本発明の態様５に係る生体分子分析装置では、上記態様１において、
上記当接箇所における上記電極側の端部の下部に、上記転写膜に対して垂直に配置される第１の絶縁性の部材をさらに備えており、
上記電極カバーは、上記第１の絶縁性の部材の上部まで延伸されており、
上記電極カバーと上記第１の絶縁性の部材との間にスリットが形成されていることを特徴としている。
【００８７】
上記の構成によれば、電気泳動時に電極から発生する気泡がスリット側（すなわち分離部と転写膜との当接箇所側）に向かって移動することをより一層防止することができる。
【００８８】
本発明の態様６に係る生体分子分析装置では、上記態様１〜５のいずれかにおいて、
上記当接箇所における上記電極側と反対側の端部の下部に、上記転写膜に対して垂直に配置される絶縁性の部材をさらに備えていることを特徴としている。
【００８９】
上記の構成によれば、電気泳動時に分離部における当接箇所から生ずる電気力線が、電極と反対側に広がることが防止される。その結果、検体の分離能を高めることができる。
【００９０】
本発明の態様７に係る生体分子分析装置では、上記態様１〜６のいずれかにおいて、
上記電極カバーは、上記搬送方向に対して傾斜しており、
上記電極カバーにおける上記当接箇所からより遠い端部が、上記電極カバーにおける上記当接箇所により近い端部よりも、上記転写膜の面内方向に直交する方向において上記電極からより遠いことを特徴している。
【００９１】
上記の構成によれば、電極から発生した気泡を、当接箇所から遠ざかる方向に逃がすことができる。
【００９２】
本発明の態様８に係る生体分子分析装置では、上記態様１〜６のいずれかにおいて、
上記電極カバーは、上記搬送方向と直交しかつ上記転写膜の面内方向に平行な方向に対して傾斜していることを特徴としている。
【００９３】
上記の構成によれば、電極から発生した気泡を、当接箇所から遠ざかる方向に逃がすことができる。
【００９４】
本発明の態様９に係る生体分子分析装置では、上記態様１〜８のいずれかにおいて、
上記電極カバーの表面における対水接触角は９０°以下であることを特徴としている。
【００９５】
上記の構成によれば、電極から発生した気泡を、電極カバーの表面に沿ってより逃がしやすくすることができる。
【００９６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００９７】
本発明は、二次元電気泳動装置に好適に利用することができる。
【符号の説明】
【００９８】
１  転写膜
２  フレーム
１０  フレーム付き転写膜
２０  クランプ
３２  陽極（電極）
３５  陽極カバー（電極カバー）
３６，３７  電気力線
３８  絞込部材（第２の絶縁性の部材）
４１  陰極
５０  電気泳動ゲルチップ（分離部）
５０ａ  排出部
５２  分離ゲル
７０  スリット
７１  開口部
７２  電気力線
７３  直立部材（第１の絶縁性の部材）
７４  スリット
１００  生体分子分析装置
【図１】
0006025813.tif 000002
【図２】
0006025813.tif 000003
【図３】
0006025813.tif 000004
【図４】
0006025813.tif 000005
【図５】
0006025813.tif 000006
【図６】
0006025813.tif 000007
【図７】
0006025813.tif 000008